(57)【特許請求の範囲】
【請求項１】
モジュラー式コネクタを取り巻く遮蔽組立体にして、
前面壁と、基部と、対向した一対の側壁とを備え、該側壁の各々が、前記遮蔽組立体の前面壁と開いた後端との間にて該基部の側端縁に沿った位置に配置された、単一の部品から成る金属製ハウジングと、
前記前面壁にヒンジ式に接続され且つ開いた位置から包み込んだ位置まで可動である頂部壁であって、該頂部壁の後方末端から伸長する一体の接地クリップを有する前記頂部壁と、
少なくとも一つの対向した側壁の後端から伸び且つ挿入したコネクタの後方の閉じた位置に折畳み可能な後壁部分とを備え、
前記頂部壁は、掛止め開口部を備え、前記掛止め開口部は、パネルから伸び且つ前記掛止め開口部を介して前記コネクタに直接係合する掛止め部分が前記コネクタを前記パネルに固定することを可能とし、
前記頂部壁は、前記後端に向けて下方に角度が付けられた傾斜部分を更に備え、該傾斜部分により前記後端から掛止め部分へのアクセスを可能にすることを特徴とする遮蔽組立体。
【請求項２】
請求項１に記載の遮蔽組立体にして、前記後壁部分が、該後壁部分から離れた位置に配置されたケーブル支持バーを備え、
前記後壁部分を前記閉じた位置に折り重ねたとき、前記支持バーが結線したケーブルに隣接する位置に配置されるようにすることを特徴とする遮蔽組立体。
【請求項３】
請求項１に記載の遮蔽組立体にして、前記対向した対の側壁の各々が、その頂端部における嵌め込み壁部分を備え、
前記頂部壁が、該頂部壁を前記包み込んだ位置まで移動したとき、該嵌め込み壁部分とかみ合い可能に嵌まる一対の相補的なフランジ部を備えることを特徴とする遮蔽組立体。
【請求項４】
請求項１に記載の遮蔽組立体にして、前記頂部壁が、該折り重ねた後壁部分の一部を覆うのに十分な長さを伸びる後方フランジを備えることを特徴とする遮蔽組立体。
【請求項５】
コネクタの頂側部に形成された開口部と係合する掛止め部分によりパネルに取り付けられたモジュラー式コネクタの遮蔽組立体にして、
前面壁と、基部と、対向した一対の側壁とから形成された遮蔽ハウジングと、
前記遮蔽ハウジングから伸びる一体の接地クリップと、
前記前面壁にヒンジ式に接続され且つ開いた位置から包み込んだ位置まで可動である頂部壁と
を備え、
前記頂部壁は、前記掛止め部分が前記コネクタにアクセスするのを許容する開口部を有し、
前記頂部壁は、該遮蔽開口部から前記コネクタの後端に向けて伸びる、下方に角度が付けられた傾斜部分を備え、
前記傾斜部分が、こじ開け装置の掛止め部分へのアクセスを可能にすることを特徴とする遮蔽組立体。
【請求項６】
請求項５に記載の遮蔽組立体にして、前記傾斜部分が遮蔽開口部の前側部から伸びることを特徴とする遮蔽組立体。
【請求項７】
遮蔽したモジュラー式コネクタの製造方法にして、
プラグ受け入れ開口部を有する前端と、ケーブル結線手段を有する後端とを備えるモジュラー式コネクタを提供するステップと、
前記プラグ受け入れ開口部の周りでコネクタの前端を覆う前面壁と、
頂部壁と、底部壁と、一対の対向した側壁とを有する単一品から成る折り重ね可能な金属製ハウジングであって、該一対の対向した側壁が、少なくとも１つの対向した側壁の後端から伸長する折り重ね可能な後壁部分と、開いた後端とを有し、前記頂部壁が、前記正面壁にヒンジ式に接続され且つ開いた位置から包み込んだ位置まで可動であり、前記頂部壁は、掛止め開口部から前記コネクタの後端に向けて伸びる、下方に角度が付けられた傾斜部分を備え、前記傾斜部分は、前記掛止め開口部に係合された掛止め部材へのこじ開け装置によるアクセスを可能にし、前記頂部壁は、該頂部壁の後方末端から伸長する接地クリップを有する前記金属製ハウジングを提供するステップと、
前記開いた後端を通じて前記コネクタを遮蔽ハウジング内に挿入するステップと、
前記後壁部分を、前記コネクタの後端の周りに折り重ねるステップと、
前記接地クリップを前記ケーブル上まで曲げるステップと、
前記接地クリップを前記ケーブルの周りで圧着するステップとを含むことを特徴とする製造方法。
【請求項８】
請求項７に記載の遮蔽したモジュラー式コネクタの製造方法にして、前記折り重ね可能な後壁部分が、該後壁部分から離れた垂直位置に配置されたケーブル支持バーを備え、該後壁部分をコネクタの後部の周りに折り重ねたとき、前記ケーブル支持バーが結線したケーブルに隣接する位置に配置され、
前記接地クリップをケーブルの周りに圧着する前記ステップが、前記接地クリップを支持バーの周りに圧着することを含むことを特徴とする、遮蔽したモジュラー式コネクタの製造方法。
【発明の詳細な説明】
【０００１】
【発明の属する技術分野】
本発明は、モジュラー式電気コネクタの遮蔽組立体、より具体的には、現場にて組み立てが容易であるモジュラー式電気コネクタを略包み込む簡単な遮蔽組立体に関する。
【０００２】
【従来の技術】
電気コネクタの少なくとも一部を取り巻く各種の遮蔽組立体がＲＦＩ（高周波干渉）及びＥＭＩ（電磁干渉）を軽減するために電気通信装置で使用することが公知である。従来の遮蔽組立体は、コネクタの一部分のみを包み込む金属製ハウジングと、現場で製造し且つ組み合わせるのに複雑である多数の部品から成る金属製ハウジングとを備えている。
【０００３】
【発明が解決しようとする課題】
斯かる部品数が増すのに伴い、現場にて組み立てることがより難しくなり且つ部品が分離し、性能を劣化させる可能性が増す。プリント回路板（ＰＣＢ）用に特に設計された一定の従来技術の遮蔽組立体は、ＰＣＢコネクタを略包み込む、一部品から成る折畳み可能な金属製ハウジングから成っている。然し、遮蔽組立体をモジュラー式コネクタ（その後端に電気ケーブルが結線される）にて使用するとき、ケーブルがコネクタの後端にアクセスし、一体の接地クリップを含むことを可能にする必要がある。この接地クリップは、連続的な共通の接地を為し得るように、電気ケーブルに設けられたフォイル遮蔽層に圧着することができる。モジュラー式コネクタを略完全に包み込み、また、遮蔽ハウジングの各種の壁が分離し且つ遮蔽効果を劣化させるのを防止する接地クリップが一体に形成された遮蔽ハウジングを製造するとき、プレス加工し且つ成形した金属製ハウジングを製造するコスト、及び現場で製造し易いことは、重要なファクタである。このため、コネクタを略包み込み且つ接地クリップを有するモジュラー式コネクタ用の遮蔽組立体を提供する分野の改良を加えることが必要となっている。
【０００４】
一般に、モジュラー式コネクタの改良に係る遮蔽組立体は、前壁と、基部と、対向した一対の側壁（その側壁の各々は、遮蔽組立体の前壁と開いた後端との間にて基部の側端縁に沿って配置されている）と、前壁にヒンジ式に接続され且つ開き位置から包み込んだ位置まで可動である頂部壁（頂部壁の後方の末端から伸長する一体の接地クリップを有する）と、少なくとも一つの対向した側壁の後端から伸長し且つ挿入したコネクタの後方の閉じ位置内に折り畳み可能である後壁部分とを有する、一つの部品から成る金属製ハウジングを備えている。この遮蔽包囲体の一体性は、ケーブル支持バーを含むことにより増すことができる。この支持バーは、後壁部分から垂直に離れた位置に配置され、後壁部分を閉じ位置に折り畳んだとき、支持バーは、結線したケーブルに隣接する位置に配置されている。
【０００５】
このため、本発明の一つの目的は、モジュラー式電気コネクタ用の改良に係る遮蔽組立体を提供することである。
【０００６】
本発明の別の目的は、現場にて確実に組み立てることが簡単である遮蔽組立体を提供することである。
【０００７】
本発明の一つの目的は、コネクタの頂側部に係合する掛止めアームを介して、面板に取り付け得るようにしたモジュラー式コネクタの改良に係る遮蔽ハウジングの設計（取り外しのためにアクセスすることを許容する設計）を提供することである。
【０００８】
【課題を解決するための手段】
上記の目的は、次の遮蔽組立体により解決される。即ち、モジュラー式コネクタを取り巻く遮蔽組立体であって、前面壁と、基部と、対向した一対の側壁とを備え、該側壁の各々が、上記蔽組立体の前面壁と開いた後端との間にて該基部の側端縁に沿った位置に配置された、単一の部品から成る金属製ハウジングと、上記前面壁にヒンジ式に接続され且つ開いた位置から包み込んだ位置まで可動である頂部壁であって、該頂部壁の後方末端から伸長する一体の接地クリップを有する上記頂部壁と、少なくとも一つの対向した側壁の後端から伸長し且つ挿入したコネクタの後方の閉じた位置に折畳み可能な後壁部分とを備えることを特徴とする遮蔽組立体である。
【０００９】
【発明の実施の形態】
本発明の思想を具体化する遮蔽組立体は、添付図面にて全体として参照符号１０で示してある。図１及び図２から理解されるように、遮蔽組立体１０は、モジュラー式電気コネクタ１２（ＲＦＩ及びＥＭＩ遮蔽効果を提供し得るように電気ケーブル１４が結線されている）を略取り巻く、プレス加工し且つ成形した単一部品から成るハウジングである。図３及び図４から最もよく理解されるように、遮蔽ハウジング１０は、正面壁３０（電気コネクタ１２のプラグ受け入れ開口部１８を取り巻くような形態とした開口部が形成されている）と、基部壁３８と、対向した一対の側壁４０とを備えるように一体に形成されている。該対向する一対の側壁４０は、遮蔽組立体１０の正面壁３０と開いた後端部との間にて基部３８の側端縁の上に配置されている。遮蔽ハウジングの前面壁３０は、かみ合ったプラグ（図示せず）と連続的な接地を形成し得るようにコネクタのプラグ受け入れ開口部１８まで伸長する一対のワイピングタブ３２を備えている。遮蔽ハウジング１０は、ヒンジ状に接続した頂部壁３４を更に備えている。該頂部壁は、クリップアーム５４の端部に一対の圧着タブ５２を有する接地クリップ５０を備えている。該クリップアームは、電気ケーブル１４のフォイル遮蔽シース６０（モジュラー式コネクタ１２に結線されている）に係合し得るように頂部壁３４の後方末端から伸長している。図４、図５に示すように、各側壁４０は、その上端部に嵌め込み壁部分４２を備え、頂部壁３４は、一対の相補的なフランジ部３６を備えている。頂部壁３４は、開いた位置から閉じた位置（接地クリップ５０が隣接するケーブル１４の下方に曲げられる位置）まで可動である。接地クリップ５０をフォイル遮蔽シース６０に圧着する結果、連続的な共通の接地効果が得られる。図６から図８に示すように、頂部壁３４が包み込んだ位置へと動いたとき、相補的なフランジ部３６は、嵌め込み壁部分４２に対して、重ね合った状態に嵌合する。また、遮蔽ハウジング１０は、前面掛止め開口部６６と、後方掛止め開口部６８とを備えており、これらの開口部は、モジュラー式コネクタ１２の掛止め領域に対応して、コネクタを通信箱（図示せず）又はその他の組立体に掛止めする。図８に示すように、頂部壁の後端には、後方フランジ４８が設けられ、折り畳まれた後部壁部分４６の一部を覆うのに十分な長さで伸びている。同様に、遮蔽ハウジング１０は、図１０に図示するように、パネル又は面板に取り付ける、コネクタ１２の手段にアクセスすることを可能にする頂部掛止め開口部６２と、底部掛止め開口部６４とを備えている。
【００１０】
図３に明確に示すように、標準的なモジュラー式電気コネクタは、プラグ受け入れ開口部１８を有する前端１６と、頂部２０と、対向した一対の側壁２４と、電気ケーブル１４が結線される後端２６とを備える。本発明に利用されるモジュラー式コネクタは、結線キャップ２８によりケーブル１４を結線する。
【００１１】
図４に明確に示すように、遮蔽組立体１０は、箱状ハウジング組立体に予め形成される。該箱状ハウジング組立体は、ヒンジ式に接続した頂部壁３４と共に、後方開口部（モジュラー式コネクタ１２を挿入することを可能にする）を有している。コネクタ１２のプラグ受け入れ開口部１８は、前面遮蔽壁３０の開口部に対応する。
【００１２】
遮蔽ハウジング１０をモジュラー式コネクタ１２に固着する方法は、図５乃至図９に最も良く図示されている。図５には、コネクタ１２の前端１６が遮蔽体１０の前壁３０に当接するまで、コネクタ１２を遮蔽ハウジング１０の開いた後端に挿入する状態が示してある。モジュラー式コネクタ１２を遮蔽ハウジング１０内に挿入した後、後部壁部分４４、４６をモジュラー式コネクタ１２の後端２６の上に折り重ねる。該後端部分４４は、該後端部分４４から垂直に離れた位置に配置されたケーブル支持バー５８を備えている。該ケーブル支持バーは、挿入したコネクタ１２の後方の後壁部分４４の上方に折り重ねることにより、該支持バー５８が結線したケーブル１４の下方に隣接する位置に配置されるような位置に設けられる。次に、接地クリップ５０を電気ケーブル１４のフォイル遮蔽シース６０に隣接する位置まで下方に折り重ね、ケーブル及びケーブル支持バー５８の周りで圧着する。最後に、圧着リング５６を接地クリップ５０及び圧着タブ５２の周りで挿入してこれらに圧着する。接地クリップ５０が電気ケーブル１４に係合する結果、頂部壁３４が閉じられて且つ該頂部壁３４は、コネクタ１２の周りの閉じた位置に固着される。このように、現場において、作業員はコネクタの折り重ねた後部壁を挿入して、コネクタを接地クリップ５０内に固着し且つ接地クリップ５０を降ろして且つ接地クリップをケーブルに圧着し、遮蔽ハウジング１０をコネクタ１２の周りで確実に包み込むようにすればよい。支持バー５８は、頂部壁３４がコネクタ１２から引き出されないように更に保護することにより、包み込んだ遮蔽ハウジング１０の一体性を増す。
【００１３】
図１０に示すように、遮蔽ハウジング１０は、後端部に向けて下方に頂部掛止め開口部６２の前面から伸長する斜めの頂部壁部分７０を備えており、遮蔽電気コネクタ１２を面板７２のようなパネル（多数のコネクタが互いに重ね合わせて取り付けられている）に取り付けたとき、角度付き面７０は、隣接する遮蔽コネクタ１２の挿入及び取り外しを容易にし、ねじ回し又はその他のこじ開け装置（図示せず）により掛止め部分へのアクセスを可能にする。
【００１４】
本発明の特別な好適な実施の形態について図示し且つ説明したが、本発明の教示内容から逸脱せずに、その変更及び改変が可能であることが当業者に明らかであろう。上記の説明及び添付図面に記載した事項は、単に説明にのみ掲げたものであり、限定を付すことを意図するものではない。本発明の実際の範囲は、従来技術に基づいてその適正な判断基準から判断したとき、請求の範囲に規定されているものと解釈される。
【図面の簡単な説明】
【図１】本発明の結線した遮蔽モジュラー式コネクタの前方正面図。
【図２】図１の結線した遮蔽モジュラー式コネクタの後方斜視図。
【図３】図１の遮蔽モジュラー式コネクタの分解図。
【図４】図１の遮蔽モジュラー式コネクタの部分組立図。
【図５】遮蔽組立体に一部分が組付けられたモジュラー式コネクタの後方斜視図。
【図６】遮蔽ハウジングに組付けられる結線したモジュラー式コネクタの部分背面図。
【図７】遮蔽ハウジングに組付けられる結線したモジュラー式コネクタの部分背面図。
【図８】遮蔽ハウジングに組付けられる結線したモジュラー式コネクタの部分背面図。
【図９】遮蔽ハウジングに組付けられる結線したモジュラー式コネクタの部分背面図。
【図１０】面板に掛止め状に係合した遮蔽モジュラー式コネクタの側面図。
【符号の説明】
１０遮蔽組立体／遮蔽ハウジング    １２  電気コネクタ
１４  電気ケーブル                １６  コネクタの前端
１８  プラグ受け入れ開口部        ２０  コネクタの頂部
２４  コネクタの側壁              ２６  コネクタの後端
２８  結線キャップ                ３０  遮蔽組立体の正面壁
３２  ワイピングタブ              ３４  頂部壁
３８  遮蔽組立体の基部壁          ４０  遮蔽組立体の側壁
４４、４６  後部壁部分            ５０  接地クリップ
５２  圧着タブ                    ５４  クリップアーム
５６  圧着リング                  ５８  支持バー
６０  フォイル遮蔽シース          ６２  頂部開口部
６４  底部掛止め開口部            ６６  前面開口部
６８  後方掛止め開口部            ７０  頂部壁部分
７２  面板
【図１】
0003935238.tif 000002
【図２】
0003935238.tif 000003
【図３】
0003935238.tif 000004
【図４】
0003935238.tif 000005
【図５】
0003935238.tif 000006
【図６】
0003935238.tif 000007
【図７】
0003935238.tif 000008
【図８】
0003935238.tif 000009
【図９】
0003935238.tif 000010
【図１０】
0003935238.tif 000011